(57)【特許請求の範囲】
【請求項１】
コンクリート構造物に設ける測定用の光ファイバセンサであって、光ファイバが該光ファイバの長手方向に任意の間隔で保護材により覆われているとともに、前記光ファイバの端部側が前記保護材で覆われ、前記保護材を含む光ファイバの長手方向の領域が繊維強化プラスチックからなる被覆材で被覆されていることを特徴とする光ファイバセンサ。
【請求項２】
上記保護材は、上記被覆材に比べて十分に軟らかく引き裂き可能な素材からなるものである請求項１に記載の光ファイバセンサ。
【請求項３】
上記保護材が有色で、かつ、上記被覆材が透明または半透明であり、被覆材を透かして前記保護材が目視可能に設けられている請求項１または２に記載の光ファイバセンサ。
【発明の詳細な説明】
【０００１】
【発明が属する技術分野】
本発明はコンクリート構造物の歪み・温度を測定するための光ファイバセンサに関するものである。
【０００２】
【発明が解決しようとする課題】
一般的にコンクリート構造物の各部の歪み・温度を測定するためには、測定する個所数だけに金属ゲージ、歪み計、熱電対などの測定装置を配置して行なっている。一方、光ファイバを構造物に固定し、その片端または両端に光を入射して散乱光や光損失を測定することで、一本の光ファイバによりその光ファイバが配された場所の長さ方向に亘る連続的な歪み・温度が測定できることが知られている。
このようなことから、コンクリート構造物に対しても上記光ファイバを用いてその構造物の歪み・温度を測定し、その測定作業が簡便に行なえるようにすることが望まれており、不具合として、既設のコンクリート構造物に光ファイバ自体を直接に接着させた場合に経時的に現れるひび割れによって生じた局部的に大きな歪みで光ファイバそのものが破断したり、また、構造物の構築時に光ファイバの配線後にコンクリート打設を行なう場合に光ファイバが損傷することが考えられることから、光ファイバを繊維強化プラスチックからなる被覆材で保護することが対策として挙げられている。
ところで、上記繊維強化プラスチックからなる被覆材で光ファイバを被覆してなる光ファイバセンサと測定装置との接続を行なう際には光ファイバの端部を取り出す必要がある。しかしながら、予め光ファイバの端部を取り出しておくようにした場合では、光ファイバの表出している部分と被覆材で保護された部分での剛性が極端に異なっていることから、その境目で光ファイバが破断し易く、光りファイバセンサの取り扱い時などに表出している光ファイバの端部が折れるという不都合がある。そのため、光ファイバの端部を被覆材で覆われたままの状態で配線作業などを行なっておき、測定装置との接続時などの必要時にその被覆材を剥ぎ取るようにすることが考えられるが、被覆材自体が硬いために剥ぎ取りは非常に困難になる。
【０００３】
そこで本発明は上記事情に鑑み、光ファイバセンサの端部における光ファイバに破断や折れを生じさないことを課題とし、光ファイバセンサの端部周りも含めて全体の取り扱いが簡単に行なえるようにすることを目的とする。
【０００４】
【課題を解決するための手段】
本発明は上記課題を考慮してなされたもので、コンクリート構造物に設ける測定用の光ファイバセンサであって、光ファイバが該光ファイバの長手方向に任意の間隔で保護材により覆われているとともに、前記光ファイバの端部側が前記保護材で覆われ、前記保護材を含む光ファイバの長手方向の領域が繊維強化プラスチックからなる被覆材で被覆されていることを特徴とする光ファイバセンサを提供して、上記課題を解消するものである。そして、本発明においては、前記保護材が、前記被覆材に比べて十分に軟らかく引き裂き可能な素材からなるものであることが良好であり、さらには、前記保護材が有色で、かつ、前記被覆材が透明または半透明で、被覆材を透かして前記保護材が目視可能に設けられていることが良好である。
【０００５】
つぎに本発明に至るに際して検討した技術を以下に説明する。
図中１は光ファイバセンサであり、図１と図２に示すように、該光ファイバセンサ１は断面での中央に芯線として位置する光ファイバ２をその長手方向に亘って合成樹脂製の外被３で覆い、さらにこの周囲を繊維強化プラスチックからなる被覆材４で覆ってなるものである。前記外被３は光ファイバ２の製造時に付けられているもので、光ファイバを保護する働きをするものであり、さらには取り扱いを容易にする。そして、この光ファイバセンサ１の両端においては、図２に示されているように外被３の外周を囲む形にして光ファイバ２の端部を覆う保護材５が設けられている。
上記保護材５は合成樹脂材などの素材からなり、上記被覆材４に比べて十分に軟らかく引き裂きできるものである。
図１に示すように光ファイバセンサ１は光ファイバ２の端部を覆う保護材５をさらに繊維強化プラスチックからなる被覆材４にて覆っているため、端部側を含めて全体に高い強度を有するものとなっており、この光ファイバセンサ１を取り扱う時点に端部側に特別の注意を払うことなく容易に取り扱えるようにしている。さらに、前記保護材５が引き裂き容易な素材であることから、測定装置に光ファイバセンサ１を接続する場合には、コンクリート構造物に取り付けた後の光ファイバセンサ１の端部を保護材５を含む位置での断面方向に切断Ａし、切断形成された端部６（図３参照）に現れている前記保護材５を所要長さ分剥ぎ取り、また、構造物を構築する際に予め前記光ファイバセンサを鉄筋などともに配線しコンクリート打設を行なって構造物内に埋め込む（測定装置に接続する側の端部は埋め込まない）ようにして構造物が完成した後にその構造物から引き出された状態となっている光ファイバセンサの端部を保護材５を含む位置での断面方向に切断し、切断形成された端部の保護材を所要長さ分剥ぎ取るようにすることで、光ファイバ２の端部２ａが表出するようになり、測定装置と接続できるようになる。勿論、保護材５を全て取り除くようにしてもよく、外被３も必要に応じて取り除くようにする。
【０００６】
【発明の実施の形態】
つぎに本発明を図４に基づいて詳細に説明する。なお、図１から図３に示す検討技術と構成が同じ部分は同符号を付してその説明を省略する。
本発明の光ファイバセンサ１においては、光ファイバ２が該光ファイバ２の長手方向に任意の間隔Ｌで上記保護材５により覆われ、それぞれ保護材５を含むようにして光ファイバ２の長手方向の領域が上記被覆材４で覆われているものである。間隔Ｌを取って予め内部に保護材５が設けられていることから、その間隔Ｌが分かっている場合（勿論、被覆材４の表面に位置表示するようにしてもよい）、保護材５を含む断面方向に切断Ａすることで上述した切断形成の端部を有した光ファイバセンサ１が得られ、同様に保護材５を剥ぎ取って光ファイバ２の端部を表出させることができる。切断Ａする個所は保護材５を所要長さ分有して端部を切断形成できる個所であれば、図示するように個所ａ，ｂなどのように特に特定されるものではない。
さらに、上記保護材５を有色のものとするとともに、上記被覆材４を透明または半透明のものとし、被覆材４を透かして前記保護材５が目視可能に設けることも可能である。このようにすれば、保護材５の位置が一目瞭然であり、光ファイバの端部を表出させるための切断作業が一層簡単なものととなる。
【０００７】
【発明の効果】
以上説明したように、本発明の光ファイバセンサによれば、コンクリート構造物に設ける測定用の光ファイバセンサであって、光ファイバが該光ファイバの長手方向に任意の間隔で保護材により覆われているとともに、前記光ファイバの端部側が前記保護材で覆われ、前記保護材を含む光ファイバの長手方向の領域が繊維強化プラスチックからなる被覆材で被覆されていることを特徴とするものである。このように光ファイバの端部側が保護材で覆われ、かつ、その保護材が被覆材で覆われているため、光ファイバセンサの端部側に特別の注意を払うことなく取り扱えるようになる。さらに、その端部において、外周の被覆材の取り除きを行なわずにその保護材の取り除き、光ファイバの端部側に損傷を与えることなく簡単に表出させるようにすることができるようになるなど、実用性に優れた効果を奏するものである。
【図面の簡単な説明】
【図１】  検討した技術である光ファイバセンサの一例を断面で示す説明図である。
【図２】  同じく検討した技術である一例の端部において光ファイバから被覆材までを段階的に示す説明図である。
【図３】  同じく検討した技術である一端を切断した光ファイバセンサを示す説明図である。
【図４】  間隔を取って保護材が複数配置されている形態を断面で示す説明図である。
【符号の説明】
１…光ファイバセンサ
２…光ファイバ
３…外被
４…被覆材
５…保護材
６…端部
Ａ…切断
Ｌ…任意の間隔
【図１】
0004089851.tif 000002
【図２】
0004089851.tif 000003
【図３】
0004089851.tif 000004
【図４】
0004089851.tif 000005